(57)【要約】【課題】フード付き雨合羽を着ても、フードが風に煽られると、顔が雨に濡れるし、フードを手で押さえると、手が塞がれる。また雨合羽を着て自転車に乗ると、手でフードを押さることができないから、フードは役に立たない。こうした問題を解決することを課題とする。【解決手段】空気を入れると膨らんで笠となる柔軟な笠部と、その笠部の周縁から垂れ下がり、それを装着する人の頭部全体を覆うとともに、その前部が透明で柔軟な材質で形成されたフードとを備える。前記笠部の周縁と、そこから垂れ下がる前記フードの前部とがファスナーで開閉自在にされて装着者の顔が露出可能とされ、前記笠部の内側には、装着者の顎に掛けて前記笠部を頭頂部に固定するベルトが設けられ、前記フードの前部には、装着者の顎の輪郭線に沿って伸び、空気で膨らむ湾曲状のガードが設けられている。【選択図】  図１
2016098455.tif 000002
【特許請求の範囲】
【請求項１】
空気を入れると膨らんで笠となる柔軟な笠部と、その笠部の周縁から垂れ下がり、それを装着する人の頭部全体を覆うとともに、その前部が透明で柔軟な材質で形成されたフードとを備え、前記笠部の周縁と、そこから垂れ下がる前記フードの前部とがファスナーで開閉自在にされて装着者の顔が露出可能とされ、前記笠部の内側には、装着者の顎に掛けて前記笠部を頭頂部に固定するベルトが設けられ、前記フードの前部には、装着者の顎の輪郭線に沿って伸びるとともに、空気で膨らませることのできる湾曲状のガードが設けられている笠付フード。
【請求項２】
前記フードの後頭部は、前記笠部と前記フードとを折り畳んで収納する収納部とされ、該収納部の両側縁部となる前記フードの外表面には、互いに連結される一対のファスナーが離間して取り付けられ、これらのファスナーを連結させると、その収納部とされた前記フードの外表面内に、折り畳まれた前記笠部と前記フードとが収納可能となる請求項１に記載の笠付フード。
【請求項３】
前記笠部は、空気で膨らむ放射状のリブと、各リブの外端をリング状に繋ぐ、空気で膨らむリング部と、各リブと前記リング部とを一体的に連結するシート部とを備えている請求項１又は２に記載の笠付フード。
【請求項４】
前記ガードには、空気注入口が設けられているとともに、そのガードと前記リブと前記リング部とが連通され、前記空気注入口から空気を注入すると、前記ガードと前記笠部とが膨らむ請求項１に記載の笠付フード。
【請求項５】
前記ファスナーは、笠付フードを装着した装着者の顔面中央から左右へ開閉可能とされている請求項１から４の何れかに記載の笠付フード。
【請求項６】
前記笠部は、ヘルメットを装着した上からでも被れるサイズに形成されている請求項１から５の何れかに記載の笠付フード。
【発明の詳細な説明】
【技術分野】
【０００１】
本発明は、傘を差さなくても顔が濡れない笠付フードに関する。
【背景技術】
【０００２】
雨合羽には、頭部に被るフード付のものが多いが、特殊なものとしては、例えば、下記特許文献に記載のものが知られている。
【先行技術文献】
【特許文献】
【０００３】
【特許文献１】実開平０５−００５０９３号公報
【特許文献２】特開平１０−１０２３１０号公報
【特許文献３】特開平０８−２９１０３９号公報
【特許文献４】特開２０１０−１５５２２２号公報
【発明の概要】
【発明が解決しようとする課題】
【０００４】
周知のように、フード付きの雨合羽を装着しても、フードが風に煽られると、顔が露出して雨に濡れる問題がある。その場合に、手を使ってフードを押さえることはできるが、そうすると、手が塞がれる問題がある。さらに、雨合羽を着て自転車に乗る場合は、手でフードを押さえておくことができないから、顔に雨が掛かる問題がある。
本発明は、こうした問題を解決した笠付フードを提供することを課題とする。
【課題を解決するための手段】
【０００５】
本発明に係る笠付フードは、空気を入れると膨らんで笠となる柔軟な笠部と、その笠部の周縁から垂れ下がり、それを装着する人の頭部全体を覆うとともに、その前部が透明で柔軟な材質で形成されたフードとを備え、前記笠部の周縁と、そこから垂れ下がる前記フードの前部とがファスナーで開閉自在にされて装着者の顔が露出可能とされ、前記笠部の内側には、装着者の顎に掛けて前記笠部を頭頂部に固定するベルトが設けられ、前記フードの前部には、装着者の顎の輪郭線に沿って伸びるとともに、空気で膨らませることのできる湾曲状のガードが設けられている。
【０００６】
前記ファスナーは、笠付フードを装着した装着者の顔面中央から左右へ開閉可能とされている。また、フードの後頭部は、前記笠部と前記フードとを折り畳んで収納する収納部とされ、その収納部の両側縁部となるフードの外表面には、互いに連結される一対のファスナーが離間して取り付けられ、これらのファスナーを連結させると、その収納部とされたフードの外表面内に、折り畳まれた笠部とフードとが収納可能となる。
これにより、笠部が雨で濡れていても、濡れた面を内側にして、フードで形成された収納部内に収めることができる。
【０００７】
また、前記ガードには、空気注入口が設けられているとともに、そのガードと前記リブとリング部とが連通され、前記空気注入口から空気を注入すると、そのガードと笠部とが膨らんでフード付の笠に形成することができる。これにより、笠部のリブとリング部とそれに連なるガードとが、軽くて強靭な骨組みとなる。また、この笠付フードは、ヘルメットを装着した上からでも被れるサイズに形成されているから、笠から垂れ下がったフードが顔に接触するようなこともない。
【０００８】
使用に際しては、まず、収納部から笠部とフードを引き出し、空気注入口から空気を入れて膨らませる。すると、笠部とガードが空気で膨らむから、笠部は、逆さまにした大皿のような形状となり、その周縁からは、フードが垂れ下がるとともに、ガードが顎の輪郭線に沿う形状になる。それを頭部に被り、顎ベルトを顎に掛ければ、笠付フードを頭頂部に固定することができる。この笠付フードは、ヘルメットを被った上からでも着用できるサイズに形成されているから、笠部の周縁からフードが垂れ下っても、フードが顔に掛からないようになっている。また、会話するときは、ファスナーを左右に開いて前面のフードを下ろせば、顔を露出させることができる。
【発明の効果】
【０００９】
本発明によれば、笠付フードは、頭部全体を被うから、風雨の強いときでも、顔が雨に濡れることはない。また、前面のファスナーを下して顔を露出させれば、会話することができる。また、この笠付フードは、工事現場用のヘルメットを被った上からでも被ることができるから、両手を常に使えるようにしておきたい作業者にとって、雨が顔に掛からない軽くて丈夫な雨避けとなる。また、観光やスポーツ観戦等に装着雨具と使用すると、近隣の視界を遮る等や、接触などのトラブルから回避できる。
【図面の簡単な説明】
【００１０】
【図１】笠付フードの外観斜視図。
【図２】笠付フードを装着したときの側面図。
【図３】笠付フードを下から見た底面図。
【図４】収納部に笠部とフードとを折り畳んだ状態の展開図。
【図５】前記収納部に笠部とフードとを収納した状態の外観斜視図。
【発明を実施するための形態】
【００１１】
以下、本説明の実施の形態を図面に基づいて説明する。
図１〜図６において、笠付フードＨは、空気を入れると膨らんで逆さの大皿のような形状となる柔軟な笠部１と、その笠部１の周縁から垂れ下がり、それを装着する人の頭部全体を覆うとともに、その前部が透明で柔軟な材質で形成されたフード２とを備えている。
【００１２】
笠部１とフード２は、透明なビニールシートで形成され、特に笠部１は、空気で膨らませることのできる、中央から放射状に伸びる複数のリブ１１と、各リブ１１の外端をリング状に繋ぐ、同じく空気で膨らむリング部１２と、各リブ１１と前記リング部１２とをその上から一体的に連結するシート部１３とを備えている。空気で膨らんだ笠部１のサイズは、公共建物（スタジアム観戦）の椅子幅を参考にして直径４３ｃｍ程度としている。
【００１３】
フード２は、笠部１のリング部１２より内側に連結され、笠部１から垂れると、装着者の肩に掛かる長さとしている。そのフード２の前部には、装着者の顎の輪郭線に沿って伸び、かつ空気で膨らむ湾曲状のガード２１が取り付けられている。このガイド２１は、フード２の内側に接合されて、風によるフード２の撓みを抑え、視界を確保するようになっている。このガード２１の適宜な位置には、空気注入口２２が設けられ、その空気注入口２２から空気を注入すると、ガード２１と笠部１のリブ１１とリング部１２とが同時に膨らんでフード付の笠となるように形成されている。そのため、ガード２１とリブ１１とリング部１２とは、空気が互いに行き来するように連通しているが、これは一例であって、ガード２１と笠部１とを分離し、笠部１にも空気注入口を設けても良い。
【００１４】
また、笠部１の周縁と、そこから垂れさがるフード２の前部との間には、開閉自在なファスナー２３が取り付けられている。このファスナー２３は、装着者の顔面中央から左右へ開閉可能とされ、それを開放してフード２を下ろせば、フード２の上縁が装着者の喉元まで垂れて、装着者の顔が露出するようになっている。
【００１５】
さらに笠部１の内側には、装着者の顎に掛ける顎ベルト３が取り付けられている。この顎ベルト３は、その両端部に着脱自在な連結具３１を取り付けたもので、一方のベルト３には、長さを調節するアジャスターが取り付けられ、両端の連結具３１を結合して顎ベルト３を装着者の顎に掛ければ、空気圧で膨らんだ笠部１が頭頂部に固定されるようになっている
【００１６】
フード２の後頭部側は、笠部１とフード２とを折り畳んで収納する収納部４とされ、その収納部４の両側縁部となる前記フード２の外表面には、互いに連結される一対のファスナー４１が所定長さ離して取り付けられている。そして、空気を抜いて扁平にした笠部１とガード２１を裏返しにて収納部４に折り重ねた後、これらを包むように収納部４を巻いて、その両サイドのファスナー４１を連結させると、収納部４内に、折り畳まれた笠部１とフード２とが収納されるようになっている。図５は、そうして折り畳んだ状態の収納部４の外観斜視図を示す。
前記ファスナー４１は、ビニール樹脂で形成したジッパーであっても良いし、面ファスナーであってもよい。
【００１７】
使用に際しては、収納部４から笠部１とフード２を取り出し、広げて空気注入口２２から空気を注入する。すると、笠部１は逆さにした大皿のように広がり、それに伴ってフード２が笠部１の周縁から垂れ下がる。この状態で頭に被り、顎ベルト３を連結して装着者の顎に掛ける。これで笠部１を頭頂部に固定することができる。この状態になれば、頭部全体が笠部１とフード２で覆われるので、風雨が強くても顔が濡れることはない。
【符号の説明】
【００１８】
Ｈ    笠付フード
１    笠部
２    フード
３    顎ベルト
４    収納部
１１    リブ
１２    リング部
１３    シート部
２１    ガード
２２    空気注入口
２３    ファスナー                    
４１    一対のファスナー
【図１】
2016098455.tif 000003
【図２】
2016098455.tif 000004
【図３】
2016098455.tif 000005
【図４】
2016098455.tif 000006
【図５】
2016098455.tif 000007